(57)【特許請求の範囲】
【請求項１】
車体上に搭載され、後方開口部を有する塵芥収容箱と、
この塵芥収容箱の後方開口部に連設され、内部に塵芥積込装置を有し、後端に塵芥を投入するための塵芥投入口を有する塵芥投入箱と、
前記塵芥投入箱の塵芥投入口を開閉する開閉扉であり、下端部が前記塵芥投入口の下部に回動自在に軸支された第１開閉扉と、下端部が前記第１開閉扉の上部に回動自在に軸支され、前記塵芥投入口の閉塞状態から車体後方に回動して前記第１開閉扉の先端部に垂れ下げ可能である第２開閉扉とから構成される開閉扉と
を有する塵芥収集車。
【請求項２】
前記塵芥投入箱の後面上部が保護カバーにより覆われていることを特徴とする請求項１記載の塵芥収集車。
【請求項３】
前記第２開閉扉の上端部に、前記塵芥投入口の閉鎖時に隙間を閉塞する可撓性部材を備えた請求項１または２に記載の塵芥収集車。
【請求項４】
前記塵芥投入箱の外側壁前方に前記塵芥積込装置の操作盤を備えた請求項１から３のいずれかに記載の塵芥収集車。
【発明の詳細な説明】
【技術分野】
【０００１】
本発明は、車体上に搭載された塵芥収容箱と、この塵芥収容箱の後方開口部に連設された塵芥投入箱とを備えた塵芥収集車に関する。
【背景技術】
【０００２】
塵芥収集車には、収集した塵芥を投入するための塵芥収容箱が搭載されており、その後方開口部には塵芥投入箱が連設されている。塵芥投入箱に投入された塵芥は、塵芥投入箱内に装備された塵芥積込装置の積込動作により塵芥収容箱内へ積み込まれる。なお、塵芥投入箱の後面には、塵芥を投入するための塵芥投入口が設けられており、この塵芥投入口には、塵芥収集車の走行中、塵芥投入箱内から塵芥や汚水等が外へ飛散しないように扉が設けられている（例えば、特許文献１参照。）。
【０００３】
特許文献１に開示されている塵芥収集車の扉は、スライド昇降により塵芥投入口を開閉するようになっており、扉を下方へスライドさせると塵芥投入口が閉鎖され、扉を上方へスライドさせると塵芥投入口が開放される。また、開放時には、この扉は塵芥投入箱本体の後面上部のカバー裏側に収容されるようになっている。
【先行技術文献】
【特許文献】
【０００４】
【特許文献１】特開２００８−２８５３１７号公報
【発明の概要】
【発明が解決しようとする課題】
【０００５】
ところが、特許文献１に開示されている塵芥収集車では、塵芥投入口を開閉する扉が塵芥投入箱本体の後面上部のカバー裏側に収容されるため、塵芥投入口を大きく開放することができないという問題がある。そのため、塵芥を上方から投入することができず、また投入する塵芥の大きさに注意する必要がある。
【０００６】
そこで、本発明においては、塵芥投入口を大きく開放することが可能な塵芥収集車を提供することを目的とする。
【課題を解決するための手段】
【０００７】
本発明の塵芥収集車は、車体上に搭載され、後方開口部を有する塵芥収容箱と、この塵芥収容箱の後方開口部に連設され、内部に塵芥積込装置を有し、後端に塵芥を投入するための塵芥投入口を有する塵芥投入箱と、塵芥投入箱の塵芥投入口を開閉する開閉扉であり、下端部が塵芥投入口の下部に回動自在に軸支された第１開閉扉と、下端部が第１開閉扉の上部に回動自在に軸支され、塵芥投入箱の閉塞状態から車体後方に回動して第１開閉扉の先端部に垂れ下げ可能である第２開閉扉とから構成される開閉扉とを有するものである。
【０００８】
本発明の塵芥収集車によれば、塵芥投入箱の塵芥投入口を開閉する開閉扉の第２開閉扉を閉塞状態から車体後方に回動して第１開閉扉の先端部に垂れ下げ、さらに第１開閉扉を車体後方に回動することで、塵芥投入箱の塵芥投入口を大きく開放することが可能となる。
【０００９】
また、本発明の塵芥収集車は、塵芥投入箱の後面上部が保護カバーにより覆われていることが望ましい。これにより、塵芥収集車の投入口に塵芥を投下することで、塵芥が勢い余って、この塵芥投入箱の後面上部の保護カバーに当たり、保護カバーを傷付けることがあっても、傷付いた保護カバーは交換するだけで良く、塵芥投入箱の後面上部の本体を傷付けることがない。
【００１０】
また、本発明の塵芥収集車は、第２開閉扉の上端部に、塵芥投入口の閉鎖時に隙間を閉塞する可撓性部材を備えたものであることが望ましい。これにより、塵芥投入口の閉鎖時に塵芥投入口と第２開閉扉との隙間を閉塞することができるとともに、塵芥投入箱の塵芥投入口を開閉する開閉扉の第１開閉扉を車体後方に回動し、さらに第２開閉扉を車体後方に回動した際に地上と第２開閉扉との隙間を閉塞することができる。
【００１１】
また、本発明の塵芥収集車は、塵芥投入箱の外側壁前方に塵芥積込装置の操作盤を備えたものであることが望ましい。これにより、塵芥積込装置の操作を塵芥投入箱の外側壁前方で行うことができる。
【発明の効果】
【００１２】
（１）車体上に搭載され、後方開口部を有する塵芥収容箱と、この塵芥収容箱の後方開口部に連設され、塵芥を投入するための塵芥投入口を有する塵芥投入箱と、塵芥投入箱の塵芥投入口を開閉する開閉扉であり、下端部が塵芥投入口の下部に回動自在に軸支された第１開閉扉と、下端部が第１開閉扉の上部に回動自在に軸支された第２開閉扉とから構成される開閉扉とを有することにより、塵芥投入箱の塵芥投入口を開閉する開閉扉の第２開閉扉を車体後方に回動し、さらに第１開閉扉を車体後方に回動することで、塵芥投入箱の塵芥投入口を大きく開放することが可能となり、塵芥の上方からの投入が容易となる。
【００１３】
（２）塵芥投入箱の後面上部が保護カバーにより覆われていることにより、塵芥収集車の投入口に塵芥を投下することで、塵芥が勢い余って、この塵芥投入箱の後面上部の保護カバーに当たり、保護カバーを傷付けることがあっても、傷付いた保護カバーを交換するだけで良く、塵芥投入箱の後面上部の本体を傷付けることがない。
【００１４】
（３）第２開閉扉の上端部に、塵芥投入口の閉鎖時に隙間を閉塞する可撓性部材を備えたものであることにより、塵芥投入口の閉鎖時に塵芥投入口と第２開閉扉との隙間を閉塞することができるので、風雨がこの隙間から侵入するのを防止することができる。また、塵芥投入箱の塵芥投入口を開閉する開閉扉の第１開閉扉を車体後方に回動し、さらに第２開閉扉を車体後方に回動した際に地上と第２開閉扉との隙間を閉塞することができるので、塵芥がこの隙間から車体の下部に侵入するのを防止することができる。
【００１５】
（４）塵芥投入箱の外側壁前方に塵芥積込装置の操作盤を備えたものであることにより、塵芥積込装置の操作を塵芥投入箱の外側壁前方で行うことができるため、塵芥投入箱の塵芥投入口の上方から投入される塵芥が、作業者の頭上に落下することを防止することができる。
【図面の簡単な説明】
【００１６】
【図１】本発明の実施の形態における塵芥収集車の側面図である。
【図２】図１の塵芥投入箱の背面図である。
【図３】図１の塵芥投入箱の拡大側面図である。
【図４】図３の第２開閉扉を開いた状態を示す側面図である。
【図５】図４の状態からさらに第１開閉扉を開いた状態を示す側面図である。
【図６】図５の状態で塵芥を投入している状態を示す側面図である。
【図７】図４の状態からさらに第１開閉扉を水平状態まで開いた状態を示す側面図である。
【発明を実施するための形態】
【００１７】
図１は本発明の実施の形態における塵芥収集車の側面図、図２は図１の塵芥投入箱の背面図、図３は図１の塵芥投入箱の拡大側面図、図４は図３の第２開閉扉を開いた状態を示す側面図、図５は図４の状態からさらに第１開閉扉を開いた状態を示す側面図、図６は図５の状態で塵芥を投入している状態を示す側面図、図７は図４の状態からさらに第１開閉扉を水平状態まで開いた状態を示す側面図である。なお、以下の説明において、前後左右方向は車体の進行方向を基準とする。
【００１８】
図１において、本発明の実施の形態における塵芥収集車１は、車体２上に塵芥収容箱３と、この塵芥収容箱３の後端の後方開口部４に連設された塵芥投入箱５とから構成される。塵芥投入箱５は、後方開口部４の上方で投入箱支持ピン（図示せず。）により軸支されており、この投入箱支持を中心に傾動自在になっている。そして、この塵芥投入箱５を上方に傾動した状態で塵芥収容箱３内に設けられた排出板（図示せず。）を後方に移動することにより、塵芥収容箱３内に収容した塵芥を排出することができるようになっている。
【００１９】
また、図２に示すように、塵芥投入箱５の後面上部は略矩形状のゴム板からなる保護カバー６により覆われている。なお、本実施形態においては保護カバーの材質をゴム（樹脂）製としているが、ナイロン製、プラスチック製や金属製などとすることも可能である。塵芥投入箱５の後面下部には、塵芥を投入するための略矩形状の塵芥投入口７が開口されている。塵芥投入口７には、この塵芥投入口７を開閉する開閉扉１０が設けられている。
【００２０】
塵芥投入箱５の内部には、塵芥投入箱５内に塵芥投入口６を通じて投入された塵芥を塵芥収容箱３に積み込むための塵芥積込装置（図示せず。）が装備されている。塵芥積込装置は、圧縮板の反転、下降、圧縮、上昇の各工程を１サイクルとする塵芥積込動作を行う圧縮式のものや、回転板の回転と押込板の揺動によって塵芥積込動作を行う回転板式のもの等を用いることが可能である。また、これらの塵芥積込装置を操作する積込ボタン、下降ボタン、上昇ボタン、反転ボタンや緊急停止ボタン等を有する操作盤８は、塵芥投入箱５の外側壁前方に設けられている。
【００２１】
開放扉１０は、下端部が塵芥投入口７の下部に回動軸１１ａによって回動可能に軸支された略矩形状の第１開閉扉１１と、下端部が第１開閉扉１１の上部に回動軸１２ａによって回動自在に軸支された略矩形状の第２開閉扉１２と、第２開閉扉１２の上端部に塵芥投入口７との隙間を閉塞するために設けられた帯状の可撓性部材１３とから構成される。なお、本実施形態においては可撓性部材１３をゴム製の板とするが、ナイロンやプラスチックなどの容易に変形可能な材質であっても良い。
【００２２】
第１開閉扉１１は、図３に示す鉛直状態から車体後方に回動し、図５の状態を経て図７に示す水平状態まで回動可能となっている。塵芥投入箱５の下部には、この第１開閉扉１１の回動を水平状態で停止させるためのゴム製の第１ストッパ１４ａが設けられている。この第１ストッパ１４ａは、塵芥投入箱５の下部に固定されたストッパ台座１４上に固定されている。
【００２３】
また、第１開閉扉１１の左右両端部には、第１開閉扉１１の回動位置を固定するためのチェーン１５（図５参照。）の一端が連結されるフック１６が設けられている。一方、塵芥投入箱５の塵芥投入口７の左右両側方には、このチェーン１５を引っ掛けるためのフック１７が設けられている。このフック１７へのチェーン１５の引っ掛け位置を調整することで、第１開閉扉１１は任意の傾斜角度で固定することが可能となっている。
【００２４】
また、第１開閉扉１１の左右両端部には、第１開閉扉１１を図３に示す鉛直状態でロックするためのロックピン１８が設けられている。一方、塵芥投入箱５の塵芥投入口７の左右両側方のこのロックピン１８に対応する位置には、ロックピン１８が挿入されるストッパ１９が固定されている。ロックピン１８は左右にスライド可能となっており、このロックピン１８を左右にスライドしてストッパ１９に挿入することで、第１開閉扉１１は図３に示す鉛直状態でロックされる。
【００２５】
第２開閉扉１２は、回動アーム２０によって回動軸１２ａに回動自在に支持されており、図３に示すように車体前方へ傾斜した状態、すなわち塵芥投入口７の閉塞状態から車体後方に１８０°以上回動し、図４に示すように略鉛直状態まで回動可能となっている。なお、回動軸１２ａは、第１開閉扉１１の上端から所定幅だけ下の位置に設けられている。そして、この第１開閉扉１１の上端と回動軸１２ａとの間であって、第２開閉扉１２の回動時に干渉しない位置に、第１開閉扉１１の回動操作時に把持するための取手２１が設けられている。
【００２６】
この取手２１は、図３に示すように塵芥投入口７の閉塞状態においては塵芥投入箱５の後方から把持可能な位置にあるが、第２開閉扉１２が回動アーム２０によって回動軸１２ａ周りに回動するために、第２開閉扉１２の下方に隙間を設けて回動し、図４に示す位置まで回動した状態においても塵芥投入箱５の後方から把持可能な場所に位置するようになっている。
【００２７】
また、前述のストッパ台座１４の後部には、図４に示す略鉛直状態となったときに第２開閉扉１２に当接するゴム製の第２ストッパ１４ｂが設けられている。また、第２開閉扉１２の上端部には回動操作時に把持するための表面の取手２２ａと裏面の取手２２ｂとが設けられている。
【００２８】
また、第２開閉扉１２の左右両端部には、第２開閉扉１２を図３に示す塵芥投入口７の閉塞状態でロックするためのロックピン２３が設けられている。一方、塵芥投入箱５の塵芥投入口７の左右両側方のこのロックピン２３に対応する位置には、ロックピン２３が挿入されるストッパ２４が固定されている。ロックピン２３は左右にスライド可能となっており、このロックピン２３を左右にスライドしてストッパ２４に挿入することで、第２開閉扉１２は図３に示す塵芥投入口７の閉塞状態でロックされる。
【００２９】
上記構成の塵芥収集車１において、塵芥回収作業時には、まず、図３に示す塵芥投入口７の閉塞状態から第２開閉扉１２のロックピン２３を左右にスライドしてストッパ２４の拘束から解き、取手２２ａ，２２ｂを把持して第２開閉扉１２を車体後方に回動し、図４に示す状態とする。次に、第１開閉扉１１のロックピン１８を左右にスライドしてストッパ１９の拘束から解き、チェーン１５の先端をフック１７に引っ掛けて、取手２１を把持して第１開閉扉１１を車体後方に回動する。そして、図５の状態や図６の状態まで回動する。
【００３０】
これにより、塵芥投入箱５の塵芥投入口７は大きく開放され、図６に示すように塵芥投入口７の上方からベルトコンベアＣ等により塵芥Ｒを容易に投入可能となる。そして、作業者は、随時、操作盤８を操作して塵芥積込装置による塵芥積込動作を行う。この操作盤８は、塵芥投入箱５の外側壁前方に配置されているため、作業者は塵芥投入箱５の外側壁前方で作業を行うことが可能であり、塵芥Ｒが作業者の頭上に落下する心配がない。
【００３１】
このとき、第２開閉扉１２は第１開閉扉１１の先端部に垂れ下がった状態であり、この第２開閉扉１２の上端部の可撓性部材１３の先端が地上に接触して地上との隙間が閉塞された状態とすると、この塵芥投入時に塵芥Ｒが車体２の下部に侵入するのを防止することが可能である。また、図７に示すように、チェーン１５をフック１７より外し、第１開閉扉１１を水平状態にして、塵芥収集車１をベルトコンベアＣの近くにバックさせる際、ベルトコンベアＣ先端下方の床面に散乱している塵芥Ｒ’を第２開閉扉１２の先端の可撓性部材１３で掻き集めることができる。その結果、塵芥収集車１の車輪が塵芥Ｒ’を踏むこともないので車輪のパンクも防止することができる。
【００３２】
塵芥回収作業終了後は、逆の手順により、まずチェーン１５をフック１７から解き、取手２１を把持して第２開閉扉１２とともに第１開閉扉１１を車体前方に回動し、図４に示す状態とする。次に、第１開閉扉１１のロックピン１８を左右にスライドしてストッパ１９に挿入し、第１開閉扉１１をロックする。そして同様に、第２開閉扉１２を車体前方に回動し、図３に示す状態として、第２開閉扉１２のロックピン２３を左右にスライドしてストッパ２４に挿入し、第２開閉扉１２をロックする。
【００３３】
これにより、塵芥投入箱５の塵芥投入口７は開閉扉１０により閉じられる。また、この塵芥収集車１では、第２開閉扉１２の上端部に備えられた可撓性部材１３が、塵芥投入口７の閉鎖時に塵芥投入口７と第２開閉扉１２との隙間を閉塞するので、風雨がこの隙間から侵入することが防止される。
【００３４】
また、この塵芥収集車１では、塵芥投入箱５の後面上部がゴム板からなる保護カバー６により覆われているので、塵芥収集車１の塵芥投入口７に塵芥Ｒを投入することで、塵芥が勢い余って、この塵芥投入箱５の後面上部の保護カバー６に当たり、保護カバー６を傷付けることがあっても、傷付いた保護カバー６は交換するだけで良く、塵芥投入箱５の後面上部の本体を傷付けることがない。
【産業上の利用可能性】
【００３５】
本発明の塵芥収集車は、塵芥収容箱の内部空間に塵芥を積み込んで収集する車両として有用である。特に、本発明は、塵芥収容箱に塵芥を積み込む塵芥投入箱の塵芥投入口を大きく開放することが可能な塵芥収集車として好適である。
【符号の説明】
【００３６】
１  塵芥収集車
２  車体
３  塵芥収容箱
４  後方開口部
５  塵芥投入箱
６  保護カバー
７  塵芥投入口
８  操作盤
１０  開閉扉
１１  第１開閉扉
１２  第２開閉扉
１３  ゴム板
１４  ストッパ台座
１４ａ  第１ストッパ
１４ｂ  第２ストッパ
１５  チェーン
１６，１７  フック
１８  ロックピン
１９  ストッパ
２０  回動アーム
２１，２２ａ，２２ｂ  取手
２３  ロックピン
２４  ストッパ
【図１】
0005468473.tif 000002
【図２】
0005468473.tif 000003
【図３】
0005468473.tif 000004
【図４】
0005468473.tif 000005
【図５】
0005468473.tif 000006
【図６】
0005468473.tif 000007
【図７】
0005468473.tif 000008